(57)【要約】【目的】従来より使用されている脚立より天板面積がはるかに大きいにもかかわらず、脚立全体を平板状にコンパクトに折り畳むことができる脚立を提供する。【解決手段】天板１と、これの前後両端部に枢着された一対の脚体２，３と、両脚体２，３をつなぐサポート用連結枠４とからなり、サポート用連結枠４の両端部は、このサポート用連結枠４が両脚体２，３間に挟まれて互いに平行に重合し且つ天板１が一方の脚体２と同一平面状に延伸した状態に折り畳まれるように、両脚体２，３に枢着されている。【選択図】        図２
2004339891.tif 000002
【特許請求の範囲】
【請求項１】
天板と、これの前後両端部に枢着された一対の脚体と、両脚体をつなぐサポート用連結枠とからなり、サポート用連結枠の両端部は、このサポート用連結枠が両脚体間に挟まれて互いに平行に重合し且つ天板が一方の脚体と同一平面状に延伸した状態に折り畳まれるように、両脚体に枢着されてなる脚立。
【請求項２】
サポート用連結枠は、脚立使用位置において両脚体間で水平に対向する両踏桟の取付位置を避けるように両脚体に対し傾斜状に対向して配置されてなる請求項１に記載の脚立。
【請求項３】
脚立使用時及び脚立折畳時に天板と他方の脚体とを固定するストッパーを設けてなる請求項１又は２に記載の脚立。
【請求項４】
一方の脚体の左右両端面上端部には、脚立使用時は天板の上面から所要高さ突出し、脚立折畳時は天板の上下面から突出することなく天板と同一平面状に納まる足場板位置決め用補助金具が取り付けられてなる請求項１〜３の何れかに記載の脚立。
【発明の詳細な説明】
【０００１】
【発明の属する技術分野】
本発明は、天板面積の広い脚立に関する。
【０００２】
【従来の技術】
脚立は、元々、作業に足場をかける程でない場合に用いる梯子であって、天板面積は非常に狭く、従って脚立を折り畳む時には両脚体を重ね合わせるだけで、脚立全体を略々一枚の平板状にコンパクトに折り畳むことができるようになっている。
【０００３】
【発明が解決しようとする課題】
本発明は、従来より使用されている脚立より天板の面積がはるかに広いにもかかわらず、脚立全体を平板状にコンパクトに折り畳むことができる脚立を提供することを目的とする。
【０００４】
【課題を解決するための手段】
請求項１に係る発明の脚立は、天板１と、これの前後両端部に枢着された一対の脚体２，３と、両脚体２，３をつなぐサポート用連結枠４とからなり、サポート用連結枠４の両端部は、このサポート用連結枠４が両脚体２，３間に挟まれて互いに平行に重合し且つ天板１が一方の脚体２と同一平面状に延伸した状態に折り畳まれるように、両脚体２，３に枢着されてなることを特徴とする。
【０００５】
請求項２は、請求項１に記載の脚立において、サポート用連結枠４は、脚立使用位置において両脚体２，３間で水平に対向する両踏桟５，５の取付位置を避けるように両脚体２，３に対し傾斜状に対向して配置されてなることを特徴とする。
【０００６】
請求項３は、請求項１又は２に記載の脚立において、脚立使用時及び脚立折畳時に天板１と他方の脚体３とを固定するストッパー２１を設けてなることを特徴とする。
【０００７】
請求項４は、請求項１〜３の何れかに記載の脚立において  、一方の脚体２の左右両端面上端部には、脚立使用時は天板１の上面から所要高さ突出し、脚立折畳時は天板１の上下面から突出することなく天板１と同一平面状に納まる足場板位置決め用補助金具７が取り付けられてなることを特徴とする。
【０００８】
【発明の実施の形態】
図１は本発明に係る脚立の使用状態での平面図、図２は正面図、図３は右側面図、図４は底面図である。また図５は同脚立を折り畳んだ状態での正面図、図６は平面図、図７は右側面図である。これらの図から分かるように、脚立は、従来一般に使用されている脚立の天板より広い面積を有する天板１と、この天板１の前後両端部に枢着された一対の脚体２，３と、両脚体２，３をつなぐサポート用連結枠４とから構成される。サポート用連結枠４の両端部は、図５に示すように当該サポート用連結枠４が両脚体２，３間に挟まれて互いに平行に重合し且つ天板１が一方の脚体２と同一平面状に延伸した状態に折り畳まれるように、両脚体２，３に枢着されている。
【０００９】
この脚立には、図１〜図４に示すような脚立使用時及び図５〜図７に示すような脚立折畳時において夫々天板１と他方の脚体３とを固定するストッパー（後述するロックピン２１）が設けられ、また一方の脚体２の左右両端面上端部には、脚立使用時は天板１の上面から所要高さ突出し、脚立折畳時は天板１の上下面から突出することなく天板１と同一平面状に納まる足場板位置決め用補助金具７が取り付けられている。この補助金具７にはピンや針金等を通す孔７ａが設けてある。
【００１０】
上記脚立の構造について更に詳しく説明すると、天板１の前後何れか一端部に一方の脚体２の上端部が枢軸８によって回転自在に取り付けられ、天板１の他端部には他方の脚体３の上端部が回転連結金具９を介して回転自在に取り付けられている。各脚体２，３は、アルミ押出形材製の一対の側枠１０，１０と、両側枠１０，１０間に横架された同じくアルミ押出形材製の踏桟５とからなるもので、踏桟５の両端部は両側枠１０，１０の夫々高さ方向中間部位に三角形の補強ブラケット１１，１１を介して連結されている。天板１もアルミ押出形材によって形成されている。
【００１１】
サポート用連結枠４は、一対の主枠１２，１２と、両主枠１２，１２をつなぐ連杆１３（図４参照）とからなるもので、図２に示すように、脚立使用位置において両脚体２，３間で水平に対向する両踏桟５，５の取付位置を避けるように傾斜状に対向して配置されている。即ち、図２から分かるように、サポート用連結枠４の一端部（図の右側端部）は、一方の脚体２の踏桟５取付部より若干下方位置に枢着金具１４を介して枢着され、その他端部（図の左側端部）は、他方の脚体３の踏桟５取付部より若干上方位置に枢着金具１４を介して枢着されている。こうすることにより、サポート用連結枠４の取付部が脚体２，３の踏桟５取付部と干渉することがなく、脚体２，３へのサポート用連結枠４の取付けが容易となる。
【００１２】
足場板位置決め用補助金具７は、金属板からなるもので、図１〜図３に示すように、脚体２の左右両端面上端部に夫々取り付けられていて、脚立使用時に天板１の上面から所要高さ突出して、天板１上に載置された足場板の横ズレを防止したり、天板１上に足場板を固定する場合に補助金具７の孔７ａから足場板側端面の孔等に足場板固定用のピンやボルトなどを係入したり、ねじ込むようになっている。
【００１３】
次に、上記回転連結金具９について図８及び図９を参照しながら説明すると、図８は脚立使用時における回転連結金具９の取付状態を示し、図９は脚立折畳時の取付状態を示し、天板１側に固定される固定側連結板１５の外側に、脚体３側に固定される可動側連結板１６を一部重合させた状態で、これら連結板１５，１６を枢軸１７によって回動可能に連結する。固定側連結板１５は、先端部側取付部１５ａと基部側取付部１５ｂとからなるもので、先端部側取付部１５ａの下端縁に当たり面１８が形成される。可動側連結板１６は、基部取付部１６ａと、この基部取付部１６ａの上端部から斜め上方に突出形成された略扇形の連結部１６ｂとからなるもので、基部取付部１６ａの上端には、脚体３が開脚状態（脚立使用位置）で固定側連結板１５の当たり面１８が当接してそれ以上の回動を阻止する当たり面１９を形成している。
【００１４】
固定側連結板１５の先端部側取付部１５ａには、枢軸１７から斜め上方に適当距離をおいた位置にピン穴２０が形成され、このピン穴２０から可動側連結板１６に向けて突出するように付勢されたロックピン２１が天板１の裏面側に配設され、可動側連結板１６の連結部１６ｂには脚体３の開脚位置（脚立使用位置）と折畳位置とで夫々固定側連結板１５側のピン穴２０と合致してロックピン２１が突入係合する係合穴２２，２５が形成されている。
【００１５】
このロックピン２１は、脚立使用時及び脚立折畳時に天板１と脚体３とを固定する前記ストッパーを構成するもので、ピン本体２１ａと操作用把手部２１ｂとで略Ｌ字状に形成され、図４に示すように、天板１の端部長手方向中央部位を挟んでその両側対称位置に一対配設し、各ロックピン２１のピン本体２１ａをピン受け２３により回転自在にして且つ軸方向移動自在に支持すると共に、ピン本体２１ａとピン受け２３との間に介装した圧縮コイルバネ２４によって、ピン本体２１ａをこれの先端部が固定側連結板１５のピン穴２０から外方へ突出するように付勢している。
【００１６】
このロックピン２１を固定側連結板１５のピン穴２０から可動側連結板１６の係合穴２２に突入係合させるときは、両ロックピン２１，２１の把手部２１ｂ，２１ｂを同時に掴んで引き寄せ、ピン先端部を可動側連結板１６のピン穴２２又は２５から固定側連結板１５のピン穴２０内に引っ込めた状態とし、この状態で可動側連結板１６側を回動して固定側連結板１５のピン穴２０と可動側連結板１６の係合穴２２又は２５とを合致させた後、把手部２１ｂ，２１ｂの掴持力を解放すれば、圧縮コイルバネ２４の付勢力によって、各ロックピン２１の先端部が固定側連結板１５のピン穴２０から可動側連結板１６の係合穴２２又は２５突入係合し、脚体３を開脚位置又は折畳位置に固定することができる。
【００１７】
上述のような構成を有する作業台において、図１〜図４は両脚体２，３が正面視ハの字状に開脚した使用状態（図２参照）での脚立を示し、図５〜図７は全体を平板状に折り畳んだ折畳状態での脚立を示す。折畳状態の脚立は、図５から分かるように、サポート用連結枠４が両脚体２，３の間に挟まれて互いに平行に重合すると共に天板１が一方の脚体２と同一平面状に延伸することによって、脚立全体が略々１枚の板状に折り畳まれた状態となっている。このように脚立全体が略々１枚の板状に折り畳まれるから、脚立の収納時には多数の脚立を多段状に有効に積み重ねてコンパクトに収納保管することができる。また脚立収納時には、足場板位置決め用補助金具は、天板１の上下面から突出することなく天板１と同一平面状に納まるから、より一層コンパクトに収納保管できる。
【００１８】
また折畳位置では、図９から分かるように、固定側連結板１５のピン穴２０を貫通したロックピン２１が圧縮コイルバネ２４（図４参照）により突出付勢されて可動側連結板１６の係合穴２５に突入係合し、この状態で脚体３がロックされているので、脚立の運搬時等に脚体３がガタついたり、ふらつくようなことがなく、取扱いが容易となる。
【００１９】
脚立使用時には、上記した図９に示すような折畳位置にある状態から、ストッパー９である両ロックピン２１，２１の把手部２１ｂ，２１ｂを同時に掴んで引き寄せることにより、ロックピン２１が可動側連結板１６の係合穴２５から離脱してロック解除され、脚体３を開くことができ、しかして脚体３が開脚状態になると、固定側連結板１５と可動側連結板１６との当たり面１８，１９が互いに当接すると共に、突出付勢されたロックピン２１の先端部が図８に示すように可動側連結板１５の係合穴２２に突入係合し、脚体３が開脚位置にロックされる。
【００２０】
こうして片方の脚体３が天板１に対し一定の開脚位置にロックされると、天板１に枢着されているもう片方の脚体２が、両脚体２，３を枢支連結しているサポート用連結枠４によって前記脚体３と対称形状に開脚し、これにより両脚体２，３がサポート用連結枠４により支持されて、図２に示すような脚立使用状態となる。この脚立使用位置で天板１上に人が乗った場合、その荷重によって両脚体２，３がハの字状に開く方へ突っ張る状態になるから、脚立使用位置が安定し、作業の安全を確保できる。
【００２１】
上記した図２に示すような脚立使用状態から、両ロックピン２１，２１の把手部２１ｂ，２１ｂを同時に掴んで引き寄せ、ロックピン２１を可動側連結板１６の係合穴２２から離脱してロック解除した状態で、サポート用連結枠４を両脚体２，３間に挟みながら互いに平行に重合させ、天板１を脚体２と同一平面状に延伸することによって、脚立全体を図５に示すように略々１枚の板状に折り畳むことができる。
【００２２】
また、図１及び図２に示すような使用位置にセットした状態の２台の脚立を所定間隔で対向させ、両脚立間に図１の仮想線で示すような足場板２６を架け渡す場合には、脚体２の左右両端面上端部に突設されて天板１から上方へ突出両側一対の足場板位置決め用補助金具７，７によって、天板１上に載置された足場板２６が位置決めされるから、足場板２６の横ズレを防止でき、また補助金具７の孔７ａから足場板側端面の孔等に足場板固定用のピンやボルトを係入したり、ねじ込むことによって、足場板２６の端部を天板１上に固定でき、作業の安全を確保することができる。
【００２３】
【発明の効果】
請求項１に係る発明の脚立は、天板と、これの前後両端部に枢着された一対の脚体と、両脚体をつなぐサポート用連結枠とからなるもので、サポート用連結枠の両端部が、サポート用連結枠が両脚体間に挟まれて互いに平行に重合し且つ天板が一方の脚体と同一平面状に延伸した状態に折り畳まれるように、両脚体に枢着されているから、天板面積を従来の脚立の天板よりも十分広くとることができて、天板上でも作業を行なえる脚立として使用することができながら、非使用時には、天板面積の非常に狭い従来の脚立と同様、脚立全体を略々１枚の板状に折り畳むことができ、運搬や収納保管にきわめて便利となる。
【００２４】
また、この発明の脚立は、脚立使用位置で天板上に人が乗った場合、その荷重によって両脚体が突っ張る状態になるから、脚立使用位置が安定し、作業の安全を確保できる。
【００２５】
請求項２に係る発明の脚立によれば、サポート用連結枠が、脚立使用位置において両脚体間で水平に対向する両踏桟の位置を避けるように両脚体に対し傾斜上に配置されているから、サポート用連結枠の取付部が脚体の踏桟取付部と干渉することがなく、脚体へのサポート用連結枠の取付けが容易となる。
【００２６】
請求項３に係る発明の脚立によれば、脚立使用時及び脚立折畳時に天板と片方の脚体とを固定するストッパーを設けているから、脚立使用時には、片方の脚体を天板に対し固定すると、もう片方の脚体がサポート用連結枠によって前記脚体と対称形状に開脚し、これにより両脚体がサポート用連結枠により支持されて、安定した脚立使用状態となり、また脚立折畳時には、片方の脚体がロックされているので、脚立の運搬時等に脚体がガタついたりふらつくようなことがなく、取扱いが容易となる。
【００２７】
請求項４に係る発明の脚立によれば、脚立に足場板を架け渡す場合に、脚体の左右両端面上端部に突設されて天板から上方へ突出する両側一対の足場板位置決め用補助金具によって、天板上に載置された足場板が位置決めされるから、足場板の横ズレを防止でき、作業の安全を確保できる。
【図面の簡単な説明】
【図１】本発明に係る脚立の使用状態での平面図である。
【図２】同脚立使用状態での正面図である。
【図３】同脚立使用状態での右側面図である。
【図４】同脚立使用状態での底面図である。
【図５】同脚立を折り畳んだ状態での正面図である。
【図６】同脚立折畳状態での平面図である。
【図７】同脚立折畳状態での右側面図である。
【図８】脚立使用時の回転連結金具の取付状態を示す正面図である。
【図９】脚立折畳時の回転連結金具の取付状態を示す正面図である。
【符号の説明】
１                  天板
２，３              脚体
４                  サポート用連結枠
５                  脚体の踏桟
７                  足場板位置決め用補助金具
８                  枢軸
９                  回転連結金具
１７                枢軸
２１                ロックピン（ストッパー）
【図１】
2004339891.tif 000003
【図２】
2004339891.tif 000004
【図３】
2004339891.tif 000005
【図４】
2004339891.tif 000006
【図５】
2004339891.tif 000007
【図６】
2004339891.tif 000008
【図７】
2004339891.tif 000009
【図８】
2004339891.tif 000010
【図９】
2004339891.tif 000011